(57)【要約】【課題】処置具起上台駆動用の操作ワイヤが組み込まれていない汎用の内視鏡でも処置具の突出方向を制御できるようにすることができ、しかも処置具起上台の作動不良等が発生し難い内視鏡の処置具起上装置付先端フードを提供すること。【解決手段】内視鏡１０の挿入部１１の先端１２に着脱自在に取り付けられる先端フード筒２１が前方に向かって開口する筒状に形成されて、挿入部１１の先端面に形成された処置具突出口１４ｏから前方に突出される処置具１００の先端部分の向きを変換するための処置具起上台２２が先端フード筒２１の内周部に配置された内視鏡の処置具起上装置付先端フードにおいて、処置具起上台２２が膨縮自在なバルーン２２により形成され、バルーン２２内に流体を注入及び排出するための流体送排チューブ２４が挿入部１１の外面に沿って先端フード筒２１から後方に延出配置されている。【選択図】      図１
2009279159.tif 000002
【特許請求の範囲】
【請求項１】
内視鏡の挿入部の先端に着脱自在に取り付けられる先端フード筒が前方に向かって開口する筒状に形成されて、上記挿入部の先端面に形成された処置具突出口から前方に突出される処置具の先端部分の向きを変換するための処置具起上台が上記先端フード筒の内周部に配置された内視鏡の処置具起上装置付先端フードにおいて、
上記処置具起上台が膨縮自在なバルーンにより形成され、上記バルーン内に流体を注入及び排出するための流体送排チューブが上記挿入部の外面に沿って上記先端フード筒から後方に延出配置されていることを特徴とする内視鏡の処置具起上装置付先端フード。
【請求項２】
上記バルーンが、上記流体の注入により上記先端フード筒の内周面からその内方に向かって膨らむように配置されている請求項１記載の内視鏡の処置具起上装置付先端フード。
【請求項３】
上記流体送排チューブ内に上記流体を注入及び排出する操作を行うための流体送排操作手段が上記流体送排チューブの基端側に連結されている請求項１又は２記載の内視鏡の処置具起上装置付先端フード。
【請求項４】
上記流体送排チューブの先端部分が、上記先端フード筒の外周側から上記先端フード筒の側壁を貫通して上記バルーン内に連通している請求項１、２又は３記載の内視鏡の処置具起上装置付先端フード。
【請求項５】
上記処置具突出口が上記挿入部の先端面の中心に対し偏位した位置に配置され、上記先端フード筒の内周部の上記処置具突出口に最も近い位置に上記処置具起上台が配置されている請求項１ないし４のいずれかの項に記載の内視鏡の処置具起上装置付先端フード。
【発明の詳細な説明】
【技術分野】
【０００１】
この発明は、内視鏡の挿入部の先端に着脱自在に取り付けられる処置具起上装置付先端フードに関する。
【背景技術】
【０００２】
内視鏡の先端フードは、前方に向かって開口する筒状に弾力性のある材料で形成されたものが一般的であり、内視鏡の挿入部先端から突出される処置具の先端部分の向きを制御するための処置具起上台が先端フード筒の内周部に設けられた処置具起上装置付先端フードもある（例えば、特許文献１）。
【特許文献１】特開昭５４−８８６８１  第４図、第６図等
【発明の開示】
【発明が解決しようとする課題】
【０００３】
特許文献１に記載された内視鏡の処置具起上装置付先端フードでは、内視鏡の挿入部内に挿通配置された操作ワイヤにより処置具起上台又は先端フード全体を駆動し、それによって処置具の先端部分の向きが制御されるようになっている。したがって、そのような駆動用の操作ワイヤが組み込まれた専用の内視鏡でしか使用することができなかった。また、操作ワイヤに体内粘液等が付着して次第に動作が悪くなってしまう等の欠点があった。
【０００４】
本発明は、処置具起上台駆動用の操作ワイヤが組み込まれていない汎用の内視鏡でも処置具の突出方向を制御できるようにすることができ、しかも処置具起上台の作動不良等が発生し難い内視鏡の処置具起上装置付先端フードを提供することを目的とする。
【課題を解決するための手段】
【０００５】
上記の目的を達成するため、本発明の内視鏡の処置具起上装置付先端フードは、内視鏡の挿入部の先端に着脱自在に取り付けられる先端フード筒が前方に向かって開口する筒状に形成されて、挿入部の先端面に形成された処置具突出口から前方に突出される処置具の先端部分の向きを変換するための処置具起上台が先端フード筒の内周部に配置された内視鏡の処置具起上装置付先端フードにおいて、処置具起上台が膨縮自在なバルーンにより形成され、バルーン内に流体を注入及び排出するための流体送排チューブが挿入部の外面に沿って先端フード筒から後方に延出配置されているものである。
【０００６】
なお、バルーンが、流体の注入により先端フード筒の内周面からその内方に向かって膨らむように配置されているとよく、流体送排チューブ内に流体を注入及び排出する操作を行うための流体送排操作手段が流体送排チューブの基端側に連結されていてもよい。
【０００７】
また、流体送排チューブの先端部分が、先端フード筒の外周側から先端フード筒の側壁を貫通してバルーン内に連通していてもよく、処置具突出口が挿入部の先端面の中心に対し偏位した位置に配置され、先端フード筒の内周部の処置具突出口に最も近い位置に処置具起上台が配置されていてもよい。
【発明の効果】
【０００８】
本発明によれば、処置具起上台が膨縮自在なバルーンにより形成され、バルーン内に流体を注入及び排出するための流体送排チューブが挿入部の外面に沿って先端フード筒から後方に延出配置されていることにより、処置具起上台駆動用の操作ワイヤが組み込まれていない汎用の内視鏡でもバルーンを膨縮させて処置具の突出方向を制御することができ、体内粘液等が付着しても処置具起上台の作動不良等が発生し難い。
【発明を実施するための最良の形態】
【０００９】
内視鏡の挿入部の先端に着脱自在に取り付けられる先端フード筒が前方に向かって開口する筒状に形成されて、挿入部の先端面に形成された処置具突出口から前方に突出される処置具の先端部分の向きを変換するための処置具起上台が先端フード筒の内周部に配置された内視鏡の処置具起上装置付先端フードにおいて、処置具起上台が膨縮自在なバルーンにより形成され、バルーン内に流体を注入及び排出するための流体送排チューブが挿入部の外面に沿って先端フード筒から後方に延出配置されている。
【実施例】
【００１０】
以下、図面を参照して本発明の実施例を説明する。
図３は内視鏡１０と処置具起上装置付先端フード２０を並べて、各々の全体構成を示している。
【００１１】
内視鏡１０には、可撓性の挿入部１１が設けられていて、その先端に連結された先端部本体１２に、図示されていない観察窓や照明窓等が配置されている。１３は、挿入部１１の基端に連結された操作部である。
【００１２】
挿入部１１内には、処置具を挿脱するための可撓性チューブからなる処置具挿通チャンネル１４が全長にわたり挿通配置されていて、処置具挿通チャンネル１４の入口である処置具挿入口１４ｉは操作部１３の下端部付近に配置され、処置具挿通チャンネル１４の出口である処置具突出口１４ｏは先端部本体１２の先端面に前方に向けて（図において下方に向けて）開口している。
【００１３】
処置具起上装置付先端フード２０には、先端部本体１２に着脱自在に取り付けられる先端フード筒２１が設けられ、処置具突出口１４ｏから前方に突出される処置具の先端部分の向きを変換するための処置具起上台２２が先端フード筒２１内に配置されている。
【００１４】
処置具起上台２２は膨縮自在なバルーンにより形成されており（以下、バルーン２２ともいう）、そのバルーン２２内に流体を注入及び排出するための流体送排チューブ２４が先端フード筒２１から後方に延出配置されている。
【００１５】
そして、流体送排チューブ２４の基端側には、流体送排チューブ２４内に例えば水等のような流体を注入及び排出する操作を行うための流体送排操作手段３０が連結されており、ここでは、流体送排操作手段３０として注射筒状のものが用いられている。
【００１６】
図４は先端フード筒２１の側面断面図である。ただし、図３とは向きを変えて、左方向を先端方向（図３において下方）にして図示してある。図５と図６は、図４に対応する平面断面図と正面図である。
【００１７】
先端フード筒２１は、弾力性のあるゴム材等により前後両方向に開口する略円筒状に形成されていて、先端フード筒２１の後半部分（図４及び図５において右半部）は、少し広がった状態に弾性変形させることにより、内視鏡１０の先端部本体１２の外周面を弾力的に締め付ける状態に先端部本体１２に対し着脱自在である。２１ａは、先端部本体１２の先端面の縁部に当接するように、先端フード筒２１の内周面から内方に突出形成された位置決めストッパである。
【００１８】
バルーン２２は、流体の注入により先端フード筒２１の内周面からその内方に向かって膨らむように配置されていて、内視鏡１０の処置具突出口１４ｏから突出された処置具の先端部分を案内するための処置具案内路２２ａが、先端フード筒２１の中心軸線を臨む側の位置に図６に示されるように凹んで形成されている。
【００１９】
流体送排チューブ２４の先端部分は、先端フード筒２１の外周側から先端フード筒２１の側壁を貫通してその内側に位置するバルーン２２内に連通している。その結果、流体送排操作手段３０から流体送排チューブ２４内に流体を注入すると、その流体がバルーン２２内に送り込まれてバルーン２２が膨らみ、その逆の操作を行うと、バルーン２２内から流体が排出されてバルーン２２が縮んだ状態に戻る。
【００２０】
図７は、処置具起上装置付先端フード２０が内視鏡１０に取り付けられた状態の全体構成を示しており、先端フード筒２１が内視鏡１０の先端部本体１２に取り付けられ、流体送排チューブ２４が内視鏡１０の挿入部１１の外面に沿って配置されて、適宜の締め付けバンド４０等で挿入部１１の外面に留められている。
【００２１】
図８は、処置具起上装置付先端フード２０が内視鏡１０に取り付けられた状態の側面断面図であり、図４等と同様に、左方向を先端方向（図７において下方）にして図示してある。図９と図１０は、その状態の斜視図である。
【００２２】
図８と図９に示されるように、処置具突出口１４ｏは先端部本体１２の先端面の中心に対し偏位した位置に配置されていて、先端フード筒２１の内周部の処置具突出口１４ｏに最も近い位置に処置具起上台２２が配置されている。
【００２３】
処置具起上台２２の処置具案内路２２ａの後端部（図８において右端部）は処置具突出口１４ｏの前方を塞がない位置にある。したがって、処置具の先端が処置具突出口１４ｏから処置具案内路２２ａにスムーズに誘導される。
【００２４】
そして、処置具案内路２２ａは、前方へいくにしたがって次第に先端フード筒２１の軸線位置に近づいて処置具突出口１４ｏの前方を塞ぐ位置に移行する斜面状に形成されている。流体送排チューブ２４は、図８と図１０に示されるように、先端フード筒２１の外周部から挿入部１１に沿って後方に延出されている。
【００２５】
図１は、処置具挿通チャンネル１４に通された処置具１００の先端部分が処置具突出口１４ｏから前方に突出した状態を示しており、処置具突出口１４ｏから突出された処置具１００の先端部分は、斜面状に形成された処置具案内路２２ａにより先端フード筒２１の軸線に近づく方向に斜めに少し向きが変えられている。
【００２６】
そして、図２に示されるように、流体送排操作手段３０から流体送排チューブ２４内に流体が送り込まれると（矢印Ａ）、処置具起上台２２が先端フード筒２１の内方に向かって膨らみ、それによって、処置具１００の先端部分の突出方向がより大きな角度で先端フード筒２１の軸線に近づく方向に制御される（矢印Ｂ）。そして、流体送排チューブ２４内から流体送排操作手段３０に流体が戻されると、逆の動作によって処置具起上台２２が萎んで、図１に示される元の状態に戻る。
【００２７】
このようにして、処置具起上台２２を駆動するための操作ワイヤが組み込まれていない汎用の内視鏡１０でも、処置具起上装置付先端フード２０を取り付けることにより、処置具１００の突出方向を任意に制御することができ、処置具起上台２２が流体の注入と排出により膨縮するバルーンで形成されているので、体内粘液等が付着しても処置具起上台２２の動作不良等が発生し難い。
【図面の簡単な説明】
【００２８】
【図１】本発明の実施例の内視鏡の処置具起上装置付先端フードによる処置具の突出状態を示す側面断面図である。
【図２】本発明の実施例の内視鏡の処置具起上装置付先端フードによる処置具の突出方向制御状態を示す側面断面図である。
【図３】内視鏡と処置具起上装置付先端フードの各々の全体構成を示す側面図である。
【図４】本発明の実施例の内視鏡の処置具起上装置付先端フードの側面断面図である。
【図５】本発明の実施例の内視鏡の処置具起上装置付先端フードの平面断面図である。
【図６】本発明の実施例の内視鏡の処置具起上装置付先端フードの正面図である。
【図７】処置具起上装置付先端フードが内視鏡に取り付けられた状態の全体構成を示す側面図である。
【図８】処置具起上装置付先端フードが内視鏡に取り付けられた状態の側面断面図である。
【図９】処置具起上装置付先端フードが内視鏡に取り付けられた状態の斜視図である。
【図１０】処置具起上装置付先端フードが内視鏡に取り付けられた状態の斜視図である。
【符号の説明】
【００２９】
１０  内視鏡
１１  挿入部
１２  先端部本体
１４  処置具挿通チャンネル
１４ｏ  処置具突出口
２０  処置具起上装置付先端フード
２１  先端フード筒
２２  処置具起上台（バルーン）
２２ａ  処置具案内路
２４  流体送排チューブ
３０  流体送排操作手段
１００  処置具
【図１】
2009279159.tif 000003
【図２】
2009279159.tif 000004
【図３】
2009279159.tif 000005
【図４】
2009279159.tif 000006
【図５】
2009279159.tif 000007
【図６】
2009279159.tif 000008
【図７】
2009279159.tif 000009
【図８】
2009279159.tif 000010
【図９】
2009279159.tif 000011
【図１０】
2009279159.tif 000012